(57)【要約】【課題】現場で容易に施工することが可能となり、遮音壁の支柱に取り付けられた既設の遮音パネルの脱落を防止することが可能となる遮音パネルの補強金具を提供する。【解決手段】本発明を適用した遮音パネルの補強金具１は、遮音壁９の支柱９１に取り付けられた遮音パネル９９の脱落を防止するためのものであって、支柱９１を挟んで配置される一対の挟持部材２と、一対の挟持部材２を互いに締結するための締結部材３とを備える。各々の挟持部材２は、板状の側板部２１と、側板部２１の一方の側端２１ａから折り曲げられて形成されて遮音パネル９９に当接されるパネル当接部２２とを有する。一対の挟持部材２は、締結部材３で締結されることで、互いの側板部２１が支柱９１を挟持するものとなる。【選択図】図４
2018188913.tif 000002
【特許請求の範囲】
【請求項１】
遮音壁の支柱に取り付けられた遮音パネルの脱落を防止するための遮音パネルの補強金具であって、
支柱を挟んで配置される一対の挟持部材と、
一対の前記挟持部材を互いに締結するための締結部材とを備え、
各々の前記挟持部材は、板状の側板部と、前記側板部の一方の側端から折り曲げられて形成されて遮音パネルに当接されるパネル当接部とを有し、
一対の前記挟持部材は、前記締結部材で締結されることで、互いの前記側板部が前記支柱を挟持するものとなること
を特徴とする遮音パネルの補強金具。
【請求項２】
各々の前記挟持部材は、前記側板部の他方の側端から折り曲げられて形成されて支柱に当接される支柱当接部を有し、前記側板部から前記支柱当接部側に向けて切り起こされて前記支柱に当接される当接片が形成されること
を特徴とする請求項１記載の遮音パネルの補強金具。
【請求項３】
各々の前記挟持部材は、前記側板部に対する前記支柱当接部の折り曲げ角度が９０°未満であること
を特徴とする請求項２記載の遮音パネルの補強金具。
【請求項４】
遮音壁の支柱に取り付けられた遮音パネルの脱落を防止するための遮音パネルの補強方法であって、
支柱が挟まれるように一対の挟持部材を配置し、
各々の前記挟持部材における板状の側板部の一方の側端から折り曲げられて形成されたパネル当接部をそれぞれ遮音パネルに当接させ、
一対の前記挟持部材を締結部材で互いに締結することで前記側板部で前記支柱を挟持させること
を特徴とする遮音パネルの補強方法。
【発明の詳細な説明】
【技術分野】
【０００１】
本発明は、遮音壁の支柱に取り付けられた遮音パネルの脱落を防止するための遮音パネルの補強金具及び遮音パネルの補強方法に関するものである。
【背景技術】
【０００２】
従来、高速道路、線路、工場等の騒音源から騒音を遮蔽（遮音）するため、Ｈ形鋼等かなる支柱のフランジ内に、金属製吸音板やコンクリート製遮音板等の遮音パネルが差し込まれた遮音壁が設置されている。
【０００３】
このような遮音壁の遮音パネルは、支柱としてのＨ形鋼のフランジに、ボルト等で取り付けられるため、ボルト等の経年劣化により支柱から脱落する虞があった。また、遮音壁の遮音パネルは、その延長が例えば数十ｋｍ〜数百ｋｍにも及ぶため、ボルト等の経年劣化により脱落しそうな遮音パネルの全てを新設するには膨大な時間が掛かり、現場で容易に施工することができないという問題点があった。
【０００４】
特許文献１に開示された防音パネルの取付金具は、第１金具と一対の第２金具との間で支柱の支持部を挟み込んで当該取付金具がその支持部に固定されるとともに、支持部の幅方向外側に延びる第１金具の固定部に対して防音パネルの端部に設けられる被固定部に締結具を介して固定される。これにより、特許文献１に開示された防音パネルの取付金具は、隣り合う支柱間に複数段の防音パネルが高さ方向に並べて設置される場合でも、下段の防音パネルの交換作業及び防音パネルの支柱への取付作業を簡略化することができるとされている。
【０００５】
しかしながら、特許文献１に開示された防音パネルの取付金具は、あくまで防音パネルを支柱に取り付けるためのものであり、既設の防音パネルの脱落を防止するものではない。また、特許文献１に開示された防音パネルの取付金具は、防音パネルに固定される被固定部が必要となるため、当該取付金具を取り付けるためにわざわざ防音パネルに被固定部を設ける必要があるため、防音パネルの落下を防止するものとして用いられる場合には、現場で容易に施工することができないという問題点があった
【０００６】
特許文献２に開示された遮音壁は、断面Ｈ形状の支持部材のフランジ部をカバー部材で被覆してなることを特徴とする。
【０００７】
しかしながら、特許文献２に開示された遮音壁は、断面Ｈ形状の支持部材がカバー部材で覆われることで美観及び耐食性を改善することができるものの、遮音パネルの脱落を防止することができないという問題点があった。
【０００８】
特許文献３に開示された気密型シェルターは、構造材と防音パネルと連結部材を備え、構造材に沿って配置された連結部材のパネル連結片がバルブタイト等の固定具を介して防音パネルに連結され、連結部材の構造材連結片がボルトナット等の固定具を介して構造材に連結される。
【０００９】
しかしながら、特許文献３に開示された気密型シェルターは、連結部材がバルブタイト等の固定具及びボルトナット等の固定具を介して、防音パネル及び構造材に連結されるため、既設の防音パネルの脱落を防止するために用いられるためには、新たにこれら固定具が装着されるための孔を防音パネル及び構造材に穿設する必要があり、現場で容易に施工を行うことができないという問題点があった。
【先行技術文献】
【特許文献】
【００１０】
【特許文献１】特開２００９−１０８５５４号公報
【特許文献２】実用新案登録３０６７５２１号公報
【特許文献３】特開２００７−２３６６２号公報
【発明の概要】
【発明が解決しようとする課題】
【００１１】
そこで本発明は、上述した問題点に鑑みて案出されたものであり、その目的とするところは、現場で容易に施工することが可能となり、遮音壁の支柱に取り付けられた既設の遮音パネルの脱落を防止することが可能となる遮音パネルの補強金具及び遮音パネルの補強方法を提供することにある。
【課題を解決するための手段】
【００１２】
第１発明に係る遮音パネルの補強金具は、遮音壁の支柱に取り付けられた遮音パネルの脱落を防止するための遮音パネルの補強金具であって、支柱を挟んで配置される一対の挟持部材と、一対の前記挟持部材を互いに締結するための締結部材とを備え、各々の前記挟持部材は、板状の側板部と、前記側板部の一方の側端から折り曲げられて形成されて遮音パネルに当接されるパネル当接部とを有し、一対の前記挟持部材は、前記締結部材で締結されることで、互いの前記側板部が前記支柱を挟持するものとなることを特徴とする。
【００１３】
第２発明に係る遮音パネルの補強金具は、第１発明において、各々の前記挟持部材は、前記側板部の他方の側端から折り曲げられて形成されて支柱に当接される支柱当接部を有し、前記側板部から前記支柱当接部側に向けて切り起こされて前記支柱に当接される当接片が形成されることを特徴とする。
【００１４】
第３発明に係る遮音パネルの補強金具は、第２発明において、各々の前記挟持部材は、前記側板部に対する前記支柱当接部の折り曲げ角度が９０°未満であることを特徴とする。
【００１５】
第４発明に係る遮音パネルの補強方法は、遮音壁の支柱に取り付けられた遮音パネルの脱落を防止するための遮音パネルの補強方法であって、支柱が挟まれるように一対の挟持部材を配置し、各々の前記挟持部材における板状の側板部の一方の側端から折り曲げられて形成されたパネル当接部をそれぞれ遮音パネルに当接させ、一対の前記挟持部材を締結部材で互いに締結することで前記側板部で前記支柱を挟持させることを特徴とする。
【発明の効果】
【００１６】
第１発明〜第４発明によれば、支柱を挟んで配置される一対の挟持部材が互いに締結部材で締結されることで、各々の側板部が支柱におけるフランジが挟持されるものとなる。このとき、第１発明〜第４発明によれば、側板部の一方の側端が折り曲げられて形成されたパネル当接部がそれぞれ遮音パネルに当接される。
【００１７】
このため、第１発明〜第４発明によれば、遮音パネルを支柱に取り付けるための取付具及び添接板等が経年劣化等により外れていたとしても、互いの側板部が支柱に挟持されるとともに、パネル当接部が遮音パネルに当接されることにより、遮音パネルを保持するものとなり、遮音パネルが支柱から脱落するのを防止することが可能となる。
【００１８】
また、第１発明〜第４発明によれば、支柱自体及び遮音パネル自体にボルト等を介して取り付けて補強する必要もなければ、支柱及び遮音パネルにボルト等を挿通させるための孔を穿設する必要もない。即ち、第１発明〜第４発明によれば、既設の遮音パネルが取り付けられた支柱を挟んで配置される一対の挟持部材を締結部材で締結するだけでよいため、現場で容易に施工を行うことが可能となる。
【００１９】
特に、第２発明によれば、側板部の他方の側端から折り曲げられて形成されて支柱に当接される支柱当接部を有し、側板部から支柱当接部側に向けて切り起こされて支柱に当接される当接片が形成される。このとき、第２発明によれば、支柱当接部及び当接片が支柱を延伸直交方向の両側から当接されるものとなり、遮音パネル等の延伸直交方向に風荷重等が作用したとしても、支柱に対して延伸直交方向に対して移動することなく、支柱から落下するのを防止することができる。このため、第２発明によれば、遮音パネルの脱落を防止する効果をより高めることが可能となる。
【００２０】
特に、第３発明によれば、側板部に対する支柱当接部の折り曲げ角度が９０°未満であることにより、一対の挟持部材における側板部が支柱を挟持したとき、側板部が支柱当接部に対して折り曲げ角度θよりも拡開された状態で、側板部の一方の側端に形成されたパネル当接部が遮音パネルに当接されることとなる。
【００２１】
このとき、第３発明によれば、支柱当接部に対して折り曲げ角度よりも拡開された側板部が所定の折り曲げ角度に戻ろうとして、側板部に弾性力が作用することとなる。このため、第３発明によれば、一対の挟持部材が締結部材で互いに締結されたとき、側板部に対する支柱当接部の折り曲げ角度が９０°未満であることにより、折り曲げ角度が９０°以上のときよりも、一対の挟持部材の側板部がより強固に支柱を挟持するものとなる。
【００２２】
したがって、第３発明によれば、側板部に対する支柱当接部の折り曲げ角度が９０°未満であることにより、一対の挟持部材の側板部がより強固に支柱を挟持するものとなり、支柱から下方へ落下するのを防止することができる。このため、第３発明によれば、遮音パネルの脱落を防止する効果をより高めることが可能となる。
【図面の簡単な説明】
【００２３】
【図１】本発明を適用した遮音パネルの補強金具が設けられる遮音壁を示す図である。
【図２】本発明を適用した遮音パネルの補強金具が設けられる遮音壁の側面図である。
【図３】図２のＡ−Ａ線で切った断面図である。
【図４】本発明を適用した遮音パネルの補強金具を示す平面図である。
【図５】本発明を適用した遮音パネルの補強金具の斜視図である。
【図６】本発明を適用した遮音パネルの補強金具の平面図である。
【図７】本発明を適用した遮音パネルの補強金具の変形例を示す平面図である。
【図８】本発明を適用した遮音パネルの補強方法において、一対の挟持部材を支柱の両側に配置した状態を示す平面図である。
【図９】本発明を適用した遮音パネルの補強方法において、一対の挟持部材における側板部を支柱に当接させた状態を示す平面図である。
【発明を実施するための形態】
【００２４】
以下、本発明を適用した遮音パネルの補強金具及び遮音パネルの補強方法の実施の形態について図面を参照しながら詳細に説明する。
【００２５】
本発明を適用した遮音パネルの補強金具１は、図１に示すように、遮音壁９の支柱９１に取り付けられる遮音パネル９９の脱落を防止するためのものである。
【００２６】
遮音壁９は、高速道路、線路、工場等の騒音源から騒音を遮蔽（遮音）するため、道路等に沿って所定の間隔を空けて設けられる複数の支柱９１と、複数の支柱９１の間に設けられる遮音パネル９９とを有する。なお、複数の支柱９１が離間される水平方向を延伸方向Ｘとし、延伸方向Ｘに対して水平に直交する方向を延伸直交方向Ｙとし、高さ方向Ｚとする。
【００２７】
支柱９１は、図２及び図３に示すように、例えばＨ形鋼が用いられ、一対のフランジ９２と、一対のフランジ９２が連結されるウェブ９３とを有する。支柱９１は、一対のフランジ９２内に遮音パネル９９の延伸方向Ｘにおける端部９９ａが配置される。
【００２８】
フランジ９２は、遮音パネル９９が配置される側の面を内側フランジ面９２ａとし、フランジ９２における内側フランジ面９２ａの反対側の面を外側フランジ面９２ｂとし、内側フランジ面９２ａ及び外側フランジ面９２ｂに直交する面をフランジ側端面９２ｃとする。
【００２９】
遮音パネル９９は、例えば、コンクリート板が用いられ、高さ方向Ｚに複数段設けられる。遮音パネル９９は、支柱９１におけるウェブ９３を挟んで延伸方向Ｘの両側にそれぞれ設けられる。
【００３０】
遮音パネル９９は、一方のフランジ９２における内側フランジ面９２ａから離間され、他方のフランジ９２における内側フランジ面９２ａに当接される。遮音パネル９９は、一方のフランジ９２に挿通されたボルト等の取付具９４及び取付具９４の先端に設けられる鋼板等の添接板９５等を介して他方のフランジ９２に当接されることで、支柱９１に取り付けられる。遮音パネル９９は、取付具９４や添接板９５等が例えば経年劣化等により遮音パネル９９及びフランジ９２から外れたとき、支柱９１から脱落するのを防止する必要がある。
【００３１】
本発明を適用した遮音パネルの補強金具１は、図４に示すように、支柱９１を挟んで配置される一対の挟持部材２と、一対の挟持部材２が互いに締結される締結部材３を備える。
【００３２】
挟持部材２は、図５に示すように、１枚の鋼板が折り曲げられて形成され、板状の側板部２１と、側板部２１の一方の側端２１ａから折り曲げられて形成されるパネル当接部２２と、側板部２１の一方の側端２１ｂから折り曲げられて形成される支柱当接部２３と、支柱当接部２３の側端２３ａから折り曲げられて形成される連結板部２４とを有する。
【００３３】
挟持部材２は、側板部２１から支柱当接部２３に向けて切り起こされる当接片２５が形成される。挟持部材２は、側板部２１の高さ方向Ｚの略中央に当接片２５が形成される。当接片２５は、側板部２１に対して略直交に配置される。
【００３４】
一対の挟持部材２は、互いの連結板部２４が当接され、連結板部２４に形成される孔２４ａにボルトナット等の締結部材３が挿通され、互いが締結部材３で締結される。
【００３５】
挟持部材２は、図６に示すように、側板部２１の他方の側端２１ｂから折り曲げられて支柱当接部２３が形成され、側板部２１に対する支柱当接部２３の折り曲げ角度θが１８０°以下の角度であればよい。このとき、挟持部材２は、側板部２１に対する支柱当接部２３の折り曲げ角度θが９０°以下であることが好ましく、９０°未満であることがさらに好ましい。
【００３６】
挟持部材２は、パネル当接部２２が側板部２１に対して略直交するように、側板部２１の一方の側端２１ａから折り曲げられて形成される。一の挟持部材２は、パネル当接部２２が他の挟持部材２側に向けて折り曲げられて形成される。
【００３７】
なお、一の挟持部材２は、図７に示すように、パネル当接部２２が側板部２１に対して略直交するように、他の挟持部材２側とは反対側に向けて側板部２１の一方の側端２１ａから折り曲げられて形成されてもよい。
【００３８】
次に本発明を適用した遮音パネルの補強方法について説明する。
【００３９】
本発明を適用した遮音パネルの補強方法では、先ず、図８に示すように、一対の挟持部材２を支柱９１を挟んで配置する。そして、各々の挟持部材２における支柱当接部２３を支柱９１におけるフランジ９２の外側フランジ面９２ｂに当接させながら、各々の挟持部材２を互いに近接させるようにして延伸方向Ｘに向けてスライドさせる。
【００４０】
このとき、支柱当接部２３に対する側板部２１の折り曲げ角度θが９０°未満であるため、側板部２１を支柱当接部２３に対して折り曲げ角度θを９０°以上となるように拡開させ、当接片２５を内側フランジ面９２ａに当接させる。即ち、支柱当接部２３及び当接片２５で支柱９１のフランジ９２を挟んだ状態で、支柱当接部２３を外側フランジ面９２ｂに当接させ、当接片２５を内側フランジ面９２ａに当接させながら、各々の挟持部材２を延伸方向Ｘにスライドさせる。
【００４１】
側板部２１を支柱当接部２３に対して折り曲げ角度θを９０°以上となるように拡開させたとき、側板部２１の一方の側端２１ａに形成されたパネル当接部２２を遮音パネル９９に当接させることとなる。
【００４２】
本発明を適用した遮音パネルの補強方法では、図９に示すように、支柱９１におけるフランジ９２のフランジ側端面９２ｃに側板部２１が当接されるまで、各々の挟持部材２を延伸方向Ｘにスライドさせる。側板部２１をフランジ側端面９２ｃに当接させたとき、一対の挟持部材２における連結板部２４が互いに当接されることとなる。
【００４３】
次に、本発明を適用した遮音パネルの補強方法では、互いに当接された各々の連結板部２４の孔２４ａに締結部材３を挿通し、一対の挟持部材２を互いに締結部材３で締結することで、側板部２１を支柱９１のフランジ側端面９２ｃに挟持させ、支柱９１からの遮音パネル９９の脱落防止の補強が完了する。
【００４４】
本発明を適用した遮音パネルの補強金具１は、図４に示すように、支柱９１を挟んで配置される一対の挟持部材２が互いに締結部材３で締結されることで、各々の側板部２１が支柱９１におけるフランジ９２のフランジ側端面９２ｃを挟持するものとなる。このとき、本発明を適用した遮音パネルの補強金具１は、側板部２１の一方の側端２１ａから折り曲げられて形成されたパネル当接部２２がそれぞれ遮音パネル９９に当接される。
【００４５】
このため、本発明を適用した遮音パネルの補強金具１は、遮音パネル９９が支柱９１に取り付けるための取付具９４及び添接板９５等が経年劣化等により外れていたとしても、互いの側板部２１が支柱９１に挟持されるとともに、パネル当接部２２が遮音パネル９９に当接されることにより、遮音パネル９９を保持するものとなり、遮音パネル９９が支柱９１から脱落するのを防止することが可能となる。
【００４６】
また、本発明を適用した遮音パネルの補強金具１は、支柱９１自体及び遮音パネル９９自体にボルト等を介して取り付けて補強する必要もなければ、支柱９１及び遮音パネル９９にボルト等を挿通させるための孔を穿設する必要もない。即ち、本発明を適用した遮音パネルの補強金具１は、既設の遮音パネル９９が取り付けられた支柱９１を挟んで配置される一対の挟持部材２を締結部材３で締結するだけでよいため、現場で容易に施工を行うことが可能となる。
【００４７】
本発明を適用した遮音パネルの補強金具１は、側板部２１の他方の側端２１ａから折り曲げられて形成されて支柱９１のフランジ９２に当接される支柱当接部２３を有し、側板部２１から支柱当接部２３側に向けて切り起こされて支柱９１のフランジ９２に当接される当接片２５が形成される。このとき、本発明を適用した遮音パネルの補強金具１は、支柱当接部２３及び当接片２５が支柱９１のフランジ９２を延伸直交方向Ｙの両側から当接されるものとなり、遮音パネル９９等の延伸直交方向Ｙに風荷重等が作用したとしても、支柱９１に対して延伸直交方向Ｙに対して移動することなく、支柱９１から落下するのを防止することができる。このため、本発明を適用した遮音パネルの補強金具１は、遮音パネル９９の脱落を防止する効果をより高めることが可能となる。
【００４８】
本発明を適用した遮音パネルの補強金具１は、側板部２１に対する支柱当接部２３の折り曲げ角度θが９０°未満であることにより、一対の挟持部材２における側板部２１が支柱９１を挟持したとき、側板部２１が支柱当接部２３に対して折り曲げ角度θよりも拡開された状態で、側板部２１の一方の側端２１ａに形成されたパネル当接部２２が遮音パネル９９に当接されることとなる。
【００４９】
このとき、本発明を適用した遮音パネルの補強金具１は、支柱当接部２３に対して折り曲げ角度θよりも拡開された側板部２１が所定の折り曲げ角度θに戻ろうとして、側板部２１に弾性力が作用することとなる。このため、本発明を適用した遮音パネルの補強金具１は、一対の挟持部材２が締結部材３で互いに締結されたとき、側板部２１に対する支柱当接部２３の折り曲げ角度θが９０°未満であることにより、折り曲げ角度が９０°以上のときよりも、一対の挟持部材２の側板部２１がより強固に支柱９１を挟持するものとなる。
【００５０】
したがって、本発明を適用した遮音パネルの補強金具１は、側板部２１に対する支柱当接部２３の折り曲げ角度θが９０°未満であることにより、一対の挟持部材２の側板部２１がより強固に支柱９１を挟持するものとなり、支柱９１から下方へ落下するのを防止することができる。このため、本発明を適用した遮音パネルの補強金具１は、遮音パネル９９の脱落を防止する効果をより高めることが可能となる。
【００５１】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならない。
【符号の説明】
【００５２】
１      ：補強金具
２      ：挟持部材
３      ：締結部材
２１    ：側板部
２１ａ  ：側端
２１ｂ  ：側端
２２    ：パネル当接部
２３    ：支柱当接部
２３ａ  ：側端
２４    ：連結板部
２４ａ  ：孔
２５    ：当接片
９      ：遮音壁
９１    ：支柱
９２    ：フランジ
９２ａ  ：内側フランジ面
９２ｂ  ：外側フランジ面
９２ｃ  ：フランジ側端面
９３    ：ウェブ
９４    ：取付具
９５    ：添接板
９９    ：遮音パネル
Ｘ      ：延伸方向
Ｙ      ：延伸直交方向
Ｚ      ：高さ方向
θ      ：折り曲げ角度
【図１】
2018188913.tif 000003
【図２】
2018188913.tif 000004
【図３】
2018188913.tif 000005
【図４】
2018188913.tif 000006
【図５】
2018188913.tif 000007
【図６】
2018188913.tif 000008
【図７】
2018188913.tif 000009
【図８】
2018188913.tif 000010
【図９】
2018188913.tif 000011